(57)【特許請求の範囲】
【請求項１】
成形品の中心方向及び前記中心方向と反対方向へ移動可能であって、アンダーカットを成形する第１分割コアと、
前記第１分割コアに対向し、前記中心方向及び前記中心方向と反対方向へ移動可能であって、アンダーカットを成形する第２分割コアと、
前記第１分割コア及び前記第２分割コアに隣り合い、前記中心方向及び前記中心方向と反対方向へ移動可能であって、アンダーカットを成形する第３分割コアと、
前記第１分割コア及び前記第２分割コアに隣り合い、前記第３分割コアに対向し、前記中心方向及び前記中心方向と反対方向へ移動可能であって、アンダーカットを成形する第４分割コア
を有し、
成形時には、成形位置において前記第１分割コア、前記第２分割コア、前記第３分割コア及び前記第４分割コアの外面が連なり、
離型時には、前記第１分割コア及び前記第２分割コアが前記成形品の中心軸に沿った方向の位置を保ったまま前記成形位置から前記中心方向へ移動すると、前記第３分割コア及び前記第４分割コアが前記中心方向へ移動可能となり、移動可能となった前記第３分割コア及び前記第４分割コアが前記成形位置から前記中心方向へ移動する成形金型。
【請求項２】
センターコアを有し、
成形時には、前記第１分割コア、前記第２分割コア、前記第３分割コア及び前記第４分割コアより内側に前記センターコアが位置し、
離型時には、前記センターコアが前記第１分割コア、前記第２分割コア、前記第３分割コア及び前記第４分割コアの内側から抜ける方向へ相対的に移動し、前記センターコアが抜けたことにより生じた空間へ前記第１分割コア、前記第２分割コア、前記第３分割コア及び前記第４分割コアが移動する
請求項１に記載の成形金型。
【請求項３】
前記第１分割コア及び前記第２分割コアの周方向の幅は、前記中心方向から前記反対方向へ向かうにつれて狭まり、
前記第３分割コアにおいて成形時に前記第分割１コアと隣り合う部分と、前記第４分割コアにおいて成形時に前記第１分割コアと隣り合う部分は、前記第分割１コアに沿っており、
前記第３分割コアにおいて成形時に前記第２分割コアと隣り合う部分と、前記第４分割コアにおいて成形時に前記第２分割コアと隣り合う部分は、前記第２分割コアに沿っている
請求項１又は請求項２に記載の成形金型。
【発明の詳細な説明】
【技術分野】
【０００１】
本発明は、成形金型に関する。
【背景技術】
【０００２】
特許文献１には、アンダーカット部を容易に抜くことを目的としたアンダーカット処理機構が開示されている。この処理機構は、成形時において周方向に交互に並ぶ第１分割コアと第２分割コアを有する。成形品の型抜き時においては、複数の第１分割コアが成形位置からアンダーカット部の軸心に向かうように逃げ方向に沿って移動する。その後、第２分割コアは、型抜き方向に逃げ方向を合成した傾斜方向に沿って離型位置まで移動する。第１分割コアと第２分割コアは、アンダーカット部の軸心方向へ移動するタイミングが異なり、移動する方向も異なるため、アンダーカットを容易に抜くことが可能となっている。
【先行技術文献】
【特許文献】
【０００３】
【特許文献１】特開２０１３−２３７２１２号公報
【発明の概要】
【発明が解決しようとする課題】
【０００４】
特許文献１の処理機構の場合、成形時には第１分割コアと第２分割コアを周方向へ交互に並ばせ、成形品から第１分割コアと第２分割コアを抜く際には、第１分割コアを軸心方向へ移動させ、且つ第２分割コアの下方に第１分割コアを移動させている。第１分割コアについては、軸心方向への移動と第２分割コアの下方への移動という複数方向への移動が必要であり、第１分割コアを上下方向に移動させるためのスペースが必要となる。
【０００５】
本発明は、上述した背景の下になされたものであり、少ないコアの移動でもアンダーカット部を抜けるようにすることを目的とする。
【課題を解決するための手段】
【０００６】
本発明は、成形品の中心方向及び前記中心方向と反対方向へ移動可能であって、アンダーカットを成形する第１分割コアと、前記第１分割コアに対向し、前記中心方向及び前記中心方向と反対方向へ移動可能であって、アンダーカットを成形する第２分割コアと、
前記第１分割コア及び前記第２分割コアに隣り合い、前記中心方向及び前記中心方向と反対方向へ移動可能であって、アンダーカットを成形する第３分割コアと、前記第１分割コア及び前記第２分割コアに隣り合い、前記第３分割コアに対向し、前記中心方向及び前記中心方向と反対方向へ移動可能であって、アンダーカットを成形する第４分割コアを有し、成形時には、成形位置において前記第１分割コア、前記第２分割コア、前記第３分割コア及び前記第４分割コアの外面が連なり、離型時には、前記第１分割コア及び前記第２分割コアが前記成形品の中心軸に沿った方向の位置を保ったまま前記成形位置から前記中心方向へ移動すると、前記第３分割コア及び前記第４分割コアが前記中心方向へ移動可能となり、移動可能となった前記第３分割コア及び前記第４分割コアが前記成形位置から前記中心方向へ移動する成形金型を提供する。
【０００７】
本発明においては、センターコアを有し、成形時には、前記第１分割コア、前記第２分割コア、前記第３分割コア及び前記第４分割コアより内側に前記センターコアが位置し、離型時には、前記センターコアが前記第１分割コア、前記第２分割コア、前記第３分割コア及び前記第４分割コアの内側から抜ける方向へ相対的に移動し、前記センターコアが抜けたことにより生じた空間へ前記第１分割コア、前記第２分割コア、前記第３分割コア及び前記第４分割コアが移動する構成としてもよい。
また、本発明においては、前記第１分割コア及び前記第２分割コアの周方向の幅は、前記中心方向から前記反対方向へ向かうにつれて狭まり、前記第３分割コアにおいて成形時に前記第１分割コアと隣り合う部分と、前記第４分割コアにおいて成形時に前記第１分割コアと隣り合う部分は、前記第１分割コアに沿っており、前記第３分割コアにおいて成形時に前記第２分割コアと隣り合う部分と、前記第４分割コアにおいて成形時に前記第２分割コアと隣り合う部分は、前記第２分割コアに沿っている構成としてもよい。
【発明の効果】
【０００８】
本発明によれば、少ないコアの移動でもアンダーカット部を抜くことができる。
【図面の簡単な説明】
【０００９】
【図１】本発明の一実施形態に係る成形金型１の断面図。
【図２】成形時の成形品Ｐと分割コア５１〜５４の上部の断面の拡大図。
【図３】可動型１１をＺ軸の負方向側から正方向側へ見た図。
【図４】分割コア５１〜５４の上部の成形時の状態を示した図。
【図５】分割コア５１〜５４の成形時のＺ軸の正方向側の端面を示した図。
【図６】離型時の成形金型１の断面図。
【図７】分割コア５１〜５４の上部の離型時の状態を示した図。
【図８】成形品Ｐと離型時の分割コア５１〜５４の上部の断面の拡大図。
【図９】離型時の成形金型１の断面図。
【図１０】分割コア５１〜５４の上部の離型時の状態を示した図。
【図１１】成形品Ｐと離型時の分割コア５１〜５４の上部の断面の拡大図。
【発明を実施するための形態】
【００１０】
以下、本発明の実施形態に係る成形金型１について、図面を参照して説明する。図１は、成形品Ｐを成形している状態の成形金型１の断面図であって、図１の（ａ）は、成形金型１のＸ軸方向に沿った断面図であり、図１の（ｂ）は、成形金型１のＹ軸方向に沿った断面図である。成形金型１は、アンダーカット部を有する成形品Ｐを成形するための金型である。図においては、直交するＸ軸、Ｙ軸およびＺ軸で方向を示しており、左右方向をＸ軸の方向、前後方向をＹ軸の方向、上下方向をＺ軸の方向としている。図において「○」の中に「×」が記載されたものは、図面の表から裏に向かう矢印を意味するものとし、「○」の中に「●」が記載されたものは図面の裏から表に向かう矢印を意味するものとする。なお、図に記載された各部材の寸法は、各部材の形状や位置関係を容易に理解できるように実際の寸法とは異ならせてある。
【００１１】
図２は、成形時の成形品Ｐと分割コア５１〜５４の上部の断面の拡大図である。成形品Ｐは、内部に空間を有し、下部側にテーパ―を有する円筒の形状である。成形品Ｐは、下部の内面において、周方向に沿ったアンダーカット部Ｐ１を有する。本実施形態においては、成形品Ｐの材料は合成樹脂であるが、合成樹脂に限定されるものではなく他の素材であってもよい。
【００１２】
固定型１０は、成形品Ｐの外面を成形する型であり、固定型１００、固定型１０１及び固定型１０２を有する。固定型１０１は、成形品Ｐの外面を成形する型であり、固定型１０２は、成形品Ｐの上側において外部から内部へ貫通する孔Ｐ２を成形するための型である。固定型１０１及び固定型１０２は、固定型１００に設けられた孔の内部に配置されている。
【００１３】
固定型１０の下方には、可動型１１が位置する。可動型１１は、成形品Ｐの内面を成形するための分割コア５１（第１分割コア）、分割コア５２（第２分割コア）、分割コア５３（第３分割コア）及び分割コア５４（第４分割コア）を有する。図３は、可動型１１をＺ軸の負方向側から正方向側へ見た図である。分割コア５１及び分割コア５２は、Ｘ軸の正方向と負方向にスライドし、分割コア５３及び分割コア５４は、Ｙ軸の正方向と負方向にスライドする。分割コア５１は、Ｚ軸方向に貫通してピン３１が挿入される孔５１Ａを有し、分割コア５２は、Ｚ軸方向に貫通してピン３２が挿入される孔５２Ａを有する。また、分割コア５３は、Ｚ軸方向に貫通してピン３３が挿入される孔５３Ａを有し、分割コア５４は、Ｚ軸方向に貫通してピン３４が挿入される孔５４Ａを有する。孔５１Ａ〜孔５４Ａは、角丸長方形であり、孔５１Ａと孔５２Ａの長手方向の長さは同じである。孔５３Ａと孔５４Ａの長手方向の長さは同じであるが、孔５１Ａと孔５２Ａの長手方向の長さより長くなっている。また、孔５１Ａは、中心軸がＸ軸の正方向へ傾斜しており、孔５２Ａは、中心軸がＸ軸の負方向へ傾斜しており、孔５３Ａは、中心軸がＹ軸の正方向へ傾斜しており、孔５４Ａは、中心軸がＹ軸の負方向へ傾斜している。
【００１４】
図４は、分割コア５１〜５４の上部の成形時の状態を示した図である。また、図５は、分割コア５１〜５４の成形時のＺ軸の正方向側の端面を示した図である。なお、図４においては、図面が煩雑になるのを防ぐため、分割コア５１〜５４の下側の部分の図示を省略している。分割コア５１〜５４は、内部に空間を有し、下部側にテーパ―を有する円筒を周方向へ４つに分割した形状であり、分割コア５３と分割コア５４は、Ｚ軸の正方向側の端面が円弧形状となっている。分割コア５１と分割コア５２は、Ｚ軸の正方向側の端面については、図５に示したように外周より内周が長い形状となっている。また、分割コア５１と分割コア５２は、外周と内周を結ぶ辺が、Ｘ軸に対して角度αを成すようになっている。分割コア５１〜５４は、アンダーカット部Ｐ１を成形するための凸部７０を有する。
【００１５】
可動型１１の下方には、分割コア５１及び分割コア５２をＸ軸に沿って移動させ、分割コア５３及び分割コア５４をＹ軸に沿って移動させる案内部１２が位置する。案内部１２には、案内部１２をＺ軸方向に貫通し、後述する支持棒２１が挿入される孔が設けられている。また、案内部１２は、センターコア４０を有する。センターコア４０は、棒状の部材であって、上部側にテーパ―を有し、上端側の直径が下端側の直径より小さくなっている。センターコア４０は、分割コア５１と分割コア５２との間且つ分割コア５３と分割コア５４の間の空間に位置する。
【００１６】
また、案内部１２は、断面が円形であって棒状のピン３１、ピン３２、ピン３３及びピン３４を有する。ピン３１とピン３２は、Ｙ軸方向の位置が同じであり、センターコア４０を挟んで予め定められた間隔を空けて配置されている。ピン３１は、Ｚ軸方向からＸ軸の正方向へ傾けられて配置されており、ピン３２は、Ｚ軸方向からＸ軸の負方向へ傾けられて配置されている。また、ピン３３とピン３４は、Ｘ軸方向の位置が同じであり、センターコア４０を挟んで予め定められた間隔を空けて配置されている。ピン３３は、Ｚ軸方向からＹ軸の正方向へ傾けられて配置されており、ピン３４は、Ｚ軸方向からＹ軸の負方向へ傾けられて配置されている。ピン３１は、分割コア５１の孔５１Ａに挿入されており、ピン３２は、分割コア５２の孔５２Ａに挿入されている。また、ピン３３は、分割コア５３の孔５３Ａに挿入されており、ピン３４は、分割コア５４の孔５４Ａに挿入されている。
【００１７】
案内部１２の下方には、案内部１２を支持する支持部１３が位置する。支持部１３には、支持部１３をＺ軸方向に貫通し、後述する支持棒２１が挿入される孔が設けられている。
【００１８】
支持部１３の下方には、スペーサ１４Ａとスペーサ１４Ｂが位置し、スペーサ１４Ａ、１４Ｂの下方には、スペーサ１４Ａ、１４Ｂが固定されるベース部１５が位置する。スペーサ１４Ａとスペーサ１４Ｂの内側には、可動型１１をＺ軸の正負方向へ移動させるための移動部１６が設けられている。移動部１６は、２枚の板材で構成されており、２枚の板材は、ねじ６１により固定されている。移動部１６は、支持棒２１を有し、支持棒２１は、案内部１２に設けられている孔と、支持部１３に設けられている孔に挿入され、ねじ６０により可動型１１に固定されている。
【００１９】
次に成形金型１の動作について説明する。図１は、成形金型１により成形品Ｐが成形されている状態を示している。また、図４は、成形時の分割コア５１〜５４の状態（位置）を示している。成形時においては、ピン３１は分割コア５１に接しており、ピン３２は分割コア５２に接している。一方、ピン３３は、センターコア４０側が分割コア５３に接しておらず、センターコア４０とは反対側が分割コア５３に接しており、ピン３４は、センターコア４０側が分割コア５４に接しておらず、センターコア４０とは反対側が分割コア５４に接している。この状態においては、分割コア５１がＸ軸の負方向へ移動し、分割コア５２がＸ軸の正方向へ移動し、分割コア５３がＹ軸の負方向へ移動し、分割コア５４がＹ軸の正方向へ移動している。そして、図４に示したように、成形時においては、分割コア５１〜５４の外面が連なり、センターコア４０の上端が分割コア５１の上端に連なっている。また、図２に示したように、分割コア５１〜５４においてアンダーカット部Ｐ１を成形する凸部７０がアンダーカット部Ｐ１に位置している。
【００２０】
成形品Ｐの離型時には、固定型１０が外された後、図６に示したように移動部１６が上方向へ駆動される。移動部１６が上方向へ駆動されると、可動型１１が上方向へ移動する。可動型１１が上方向へ移動すると、ピン３１に沿って分割コア５１がＸ軸の正方向へ移動し、ピン３２に沿って分割コア５２がＸ軸の負方向へ移動する。なお、孔５３Ａ及び孔５４Ａは、長手方向の長さが孔５１Ａ及び孔５２Ａより長いため、移動部１６がＺ軸の正方向へ予め定められた距離を移動するまでの間においては、ピン３３が分割コア５３に接触せず、ピン３４も分割コア５４に接触しない。このため、移動部１６がＺ軸の正方向へ予め定められた距離を移動するまでの間においては、分割コア５３は、Ｙ軸の正方向へ移動せず、分割コア５４は、Ｙ軸の負方向へ移動しない。
【００２１】
図７は、分割コア５１及び分割コア５２が移動し、分割コア５３及び分割コア５４が移動していない状態を示した図である。なお、図７においては、分割コア５１〜５４の下側の部分の図示を省略している。また、図８は、図７の状態のときの分割コア５１〜５４の上部の断面の拡大図である。
【００２２】
図７に示したように、分割コア５１がＸ軸の正方向に移動し、分割コア５２がＸ軸の負方向に移動すると、分割コア５１及び分割コア５２においてアンダーカット部Ｐ１を成形する凸部７０がアンダーカット部Ｐ１から離れる。また、分割コア５１がＸ軸の正方向に移動し、分割コア５２がＸ軸の負方向に移動すると、分割コア５３と分割コア５４との間に隙間が生じる。また、分割コア５１と分割コア５２は、分割コア５３及び分割コア５４より外周が短いため、分割コア５１と分割コア５２が分割コア５３と分割コア５４の間に移動すると、分割コア５１と分割コア５３との間、分割コア５１と分割コア５４との間、分割コア５２と分割コア５３との間、及び分割コア５２と分割コア５４との間に隙間が生じる。これらの隙間により、分割コア５３は、Ｙ軸の正方向への移動となり、分割コア５４は、Ｙ軸の負方向への移動が可能となる。なお、図６の状態のときには、分割コア５３と分割コア５４は成形時から移動していないため、分割コア５３と成形品Ｐ及び分割コア５４と成形品Ｐとの間には隙間がなく、分割コア５３の凸部７０と分割コア５４の凸部はアンダーカット部Ｐ１から離れていない。
【００２３】
図６に示した状態の後、図９に示したように移動部１６がさらに上方向へ駆動される。可動型１１が上方向へ移動すると、ピン３１に接している分割コア５１がさらにＸ軸の正方向へ移動し、ピン３２に接している分割コア５１がさらにＸ軸の負方向へ移動する。また、可動型１１が上方向へ移動すると、図６の状態のときにピン３３に接していなかった分割コア５３がピン３３に接し、ピン３３に沿ってＹ軸の正方向へ移動する。また、可動型１１が上方向へ移動すると、図６の状態のときにピン３４に接していなかった分割コア５４がピン３４に接し、ピン３４に沿ってＹ軸の負方向へ移動する。
【００２４】
図１０は、図９の状態のときの分割コア５１〜５４の上部を示した図である。なお、図１０においては、分割コア５１〜５４の下側の部分の図示を省略している。また、図１１は、図９の状態のときの分割コア５１〜５４の上部の断面の拡大図である。
【００２５】
図１０に示したように、分割コア５３がＹ軸の正方向に移動し、分割コア５４がＹ軸の負方向へ移動すると、成形品Ｐと分割コア５３との間に隙間が生じ、成形品Ｐと分割コア５４との間にも隙間が生じる。また、分割コア５３及び分割コア５４においてアンダーカット部Ｐ１を成形する凸部７０がアンダーカット部Ｐ１から離れる。
【００２６】
このように、本実施形態においては、分割コア５１及び分割コア５２がセンターコア４０の中心軸の方向へ移動した後、分割コア５３及び分割コア５４がセンターコア４０の中心方向へ移動することにより、凸部７０がアンダーカット部Ｐ１から十分逃げることとなる。凸部７０がアンダーカット部Ｐ１から十分逃げるため、離型時に凸部７０がアンダーカット部Ｐ１に引っ掛かることがなく、アンダーカット部Ｐ１にダレが発生しない。
また、本実施形態においては、分割コア５１及び分割コア５２の移動はＸ軸の正負方向のみであってＺ軸の正負方向へは移動せず、さらに分割コア５３及び分割コア５４の移動はＹ軸の正負方向のみであってＺ軸の正負方向へは移動しない、即ち、分割コア５１〜５４はＺ軸方向へは移動しないため、分割コアをＺ軸方向へ移動させる構成と比較すると、少ないスペースで分割コア５１〜５４を移動させて離型を行うことができる。
【００２７】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した実施形態及び以下の変形例は、各々を組み合わせてもよい。
【００２８】
上述した実施形態においては、分割コア５１〜５４は、内部に空間を有し、下部側にテーパ―を有する円筒を周方向へ４つに分割した形状となっているが、内部に空間を有する多角形の筒を周方向へ４つに分割した形状としてもよい。この変形例によれば、成形品Ｐの内部空間の断面の形状を多角形にすることができる。
【００２９】
上述した実施形態においては、凸部７０は、アンダーカット部Ｐ１が成形品Ｐの下部に位置するように設けられているが、アンダーカット部Ｐ１が成形品Ｐの下部に位置するように凸部７０を分割コア５１〜５４の上部へ設けてもよい。
【符号の説明】
【００３０】
１…成形金型、１０…固定型、１１…可動型、１２…案内部、１３…支持部、１５…ベース部、１６…移動部、３１〜３４…ピン、４０…センターコア、５１〜５４…分割コア、７０…凸部、Ｐ…成形品、Ｐ１…アンダーカット部。
【要約】
【課題】少ないコアの移動でもアンダーカット部を抜けるようにする。
【解決手段】センターコア４０が下方向へ移動すると、分割コア５１と分割コア５２がセンターコア４０側の中心軸方向に移動し、分割コア５１、５２が成形品Ｐから離れる。また、分割コア５３と分割コア５４がセンターコア４０側に移動するためのスペースが分割コア５１、５２と分割コア５３、５４との間に生じる。さらにセンターコア４０が下方向へ移動すると、分割コア５３と分割コア５４がセンターコア４０側に移動する。分割コア５１〜５４の移動が完了すると、アンダーカット部Ｐ１を成形するための凸部７０がアンダーカット部Ｐ１から離れ、凸部７０をアンダーカット部Ｐ１に接触させることなく離型が行われる。
【選択図】図２【図１】
0006054565.tif 000002
【図２】
0006054565.tif 000003
【図３】
0006054565.tif 000004
【図４】
0006054565.tif 000005
【図５】
0006054565.tif 000006
【図６】
0006054565.tif 000007
【図７】
0006054565.tif 000008
【図８】
0006054565.tif 000009
【図９】
0006054565.tif 000010
【図１０】
0006054565.tif 000011
【図１１】
0006054565.tif 000012